(57)【特許請求の範囲】
【請求項１】
口頸部(４)を起立する容器体(２)と、
スポイト管(１４)付きの蓋基部(１２)に対して昇降可能な可動蓋部(４０)を有し、蓋基部(１２)と可動蓋部(４０)との間にスポイト管(１４)と連通するポンプ室(Ｐ)を内蔵する蓋(１０)とを具備し、
上記蓋基部(１２)は、上記口頸部(４)の上面を液密に閉塞する蓋底部(Ｂ)を貫通して容器体(２)内へスポイト管(１４)を垂設するとともに、蓋底部(Ｂ)の上面から、スポイト管(１４)と連続する連結管部(１８)を起立して、この連結管部(１８)の上端に押釦(２４)を付設してなり、
上記可動蓋部(４０)は、上記口頸部(４)に嵌着した装着筒部(４４)を有し、この装着筒部(４４)の上端から上記連結管部(１８)を囲むシリンダ筒部(４８)を起立しており、
このシリンダ筒部(４８)と連結管部(１８)との間に上記ポンプ室(Ｐ)を形成し、
口頸部(４)に対して蓋(１０)を嵌合する際に、上記蓋底部(Ｂ)に口頸部(４)の上端部が当接した後に、装着筒部(４４)を口頸部(４)に対して下限位置まで下降させることで上記ポンプ室(Ｐ)の内容積が拡張して、スポイト管(１４)へ容器体(２)内の液体を吸い込むことが可能に構成したことを特徴とする、スポイト容器。
【請求項２】
上記可動蓋部(４０)と蓋基部(１２)との間の摩擦力により可動蓋部(４０)に対して蓋基部(１２)が上昇した状態を維持できるようにしたことを特徴とする、請求項１記載のスポイト容器。
【請求項３】
連結管部(１８)の外面上部に取り付けた第１仕切り板部(３８)の外周を、上記シリンダ筒部(４８)へ、また上記シリンダ筒部(４８)の内面下部に取り付けた第２仕切り板部(６０)の内周を、上記連結管部(１８)へ、それぞれ液密に摺接させるように形成し、これら第１仕切り板部(３８)と第２仕切り板部(６０)との間にポンプ室(Ｐ)を形成し、このポンプ室(Ｐ)の内部と連結管部(１８)の内部とを連通させる切欠き(２０)を上記連結管部(１８)に形成したことを特徴とする、請求項２記載のスポイト容器。
【請求項４】
上記口頸部(４)の外面に第１ネジ部(Ｎ１)を、また装着筒部(４４)の内面に第２ネジ部(Ｎ２)をそれぞれ形成し、第２ネジ部(Ｎ２)の下部及び第１ネジ部(Ｎ１)の上部のみが相互に係合した状態で、上記蓋底部(Ｂ)の裏面に口頸部(４)の上面が当接するように構成したことを特徴とする、請求項１から請求項３の何れかに記載のスポイト容器。
【請求項５】
ポンプ室(Ｐ)が拡張した状態で装着筒部(４４)内に口頸部(４)を挿入し、第１ネジ部(Ｎ１)が第２ネジ部(Ｎ２)に当たるまで装着筒部(４４)を回転させずに下降したときに、可動蓋部(４０)を回転させずに、口頸部(４)の上端面が蓋底部(Ｂ)を突き上げることができるように、第１ネジ部(Ｎ１)と掛かり合う第２ネジ部(Ｎ２)の形成箇所を設定したことを特徴とする、請求項４に記載のスポイト容器。
【発明の詳細な説明】
【技術分野】
【０００１】
本発明は、スポイト容器、特に定量の液体の吐出に適したスポイト容器に関する。
【背景技術】
【０００２】
この種のスポイト容器として、口頸部を有する容器体と、当該口頸部に装着された蓋とからなり、蓋は、口頸部を介してスポイト管の下半部を容器体内に挿入するとともに、スポイト管の上端部にドーム状の弾性圧搾部を取り付け、かつ弾性圧搾部を押下げるための押釦を設けてなる（特許文献１）。
【先行技術文献】
【特許文献】
【０００３】
【特許文献１】実公平６−４２７３５
【特許文献２】特表２０１３−５３３１７２
【発明の概要】
【発明が解決しようとする課題】
【０００４】
特許文献１のスポイト容器は、指で弾性押圧部を圧搾することで液体を吸い上げるために指での押し下げ距離次第で液体の吸上げ量が変化する。しかしながら、スポイト容器に収納する液体の種類によっては、より確実に一定量の液体を吸い上げ、吐出することができるようにすることが望まれる。
【０００５】
これに対して、容器体の口頸部から蓋を螺脱させるときの蓋の上昇距離に応じて一定量の液体を吸い上げ、吐出することが可能なスポイト容器も提案されている（特許文献２）。
【０００６】
この容器の蓋は、口頸部上に載置される蓋基部と、蓋基部に対して昇降可能な可動蓋部とからなり、可動蓋部を垂直方向に付勢する手段を設けるとともに、蓋基部と可動蓋部との間に、スポイト管と連通する負圧発生用のポンプ室を形成し、口頸部から可動蓋部を上昇させ、離脱させるときに、その上昇距離に応じた一定の負圧を生じさせ、定量液体をスポイト管内へ吸い上げるものである。
【０００７】
しかしながら、この種の容器でも、蓋基部が口頸部の上面に載置された後に可動蓋部が蓋基部に対して下降することで蓋内の空気が容器体内へ押し込まれるために吐出量にばらつきを生ずる可能性がある。
【０００８】
本発明の目的は、スポイト付きの蓋を容器体の口頸部に装着する際に蓋内のポンプ室が拡張して液体を吸い上げるようにすることで、吐出量のばらつきの少ないスポイト容器を提供することである。
【課題を解決するための手段】
【０００９】
第１の手段は、
口頸部４を起立する容器体２と、
スポイト管１４付きの蓋基部１２に対して昇降可能な可動蓋部４０を有し、蓋基部１２と可動蓋部４０との間にスポイト管１４と連通するポンプ室Ｐを内蔵する蓋１０とを具備し、
上記蓋基部１２は、上記口頸部４の上面を液密に閉塞する蓋底部Ｂを貫通して容器体２内へスポイト管１４を垂設するとともに、蓋底部Ｂの上面から、スポイト管１４と連続する連結管部１８を起立して、この連結管部１８の上端に押釦２４を付設してなり、
上記可動蓋部４０は、上記口頸部４に嵌着した装着筒部４４を有し、この装着筒部４４の上端から上記連結管部１８を囲むシリンダ筒部４８を起立しており、
このシリンダ筒部４８と連結管部１８との間に上記ポンプ室Ｐを形成し、
口頸部４に対して蓋１０を嵌合する際に、上記蓋底部Ｂに口頸部４の上端部が当接した後に、装着筒部４４を口頸部４に対して下限位置まで下降させることで上記ポンプ室Ｐの内容積が拡張して、スポイト管１４へ容器体２内の液体を吸い込むことが可能に構成している。
【００１０】
本手段は、図１に示すように、スポイト管１４付きの蓋基部１２と可動蓋部４０とからなる蓋１０内に、スポイト管１４と連通するポンプ室Ｐを形成し、蓋１０を容器体２の口頸部４に装着する際に、蓋基部１２に対して可動蓋部４０が下降することでポンプ室Ｐが拡張して、スポイト管１４内へ液体を吸い込むように構成することを提案している。これにより、スポイト管１４内に容器体２に挿入する際に容器体２内へ空気が押し込まれることがなくなり、吐出量が安定する。従って定量の液体の取出しに適している。
【００１１】
本明細書でいう「定量」とは、口頸部４へ装着筒部４４を嵌合させるときの嵌合深さ（螺合の場合にはネジの掛かり）に応じた一定の量の液体を吐出できる、という意味である。
「蓋底部に口頸部の上端部が当接した」とは、例えば図１に示すように口頸部と蓋底部Ｂとの間に他物（図１では鍔部）が介在している形態を含む。
【００１２】
第２の手段は、第１の手段を有し、かつ
上記可動蓋部４０と蓋基部１２との間の摩擦力により可動蓋部４０に対して蓋基部１２が上昇した状態を維持できるようにしている。
【００１３】
本手段では、図２に示すように、可動蓋部４０と蓋基部１２との静止摩擦力で可動蓋部４０に対して蓋基部１２が上昇した状態（ポンプ室が拡張した状態）を維持できるようにしている。既存のスポイト容器の如く蓋基部１２に対して可動蓋部４０を垂直方向に付勢する弾性部材（スプリングなど）を省略できるので、構造が簡易となり、安価に製造できる。
【００１４】
第３の手段は、第２の手段を有し、かつ
連結管部１８の外面上部に取り付けた第１仕切り板部３８の外周を、上記シリンダ筒部４８へ、また上記シリンダ筒部４８の内面下部に取り付けた第２仕切り板部６０の内周を、上記連結管部１８へ、それぞれ液密に摺接させるように形成し、これら第１仕切り板部３８と第２仕切り板部６０との間にポンプ室Ｐを形成し、このポンプ室Ｐの内部と連結管部１８の内部とを連通させる切欠き２０を上記連結管部１８に形成している。
【００１５】
本手段では、図１に示すように、第１仕切り板部３８及び第２仕切り板部６０のポンプ室Ｐを形成することを提案している。ポンプ室Ｐを簡易な構成で形成することができ、第１仕切り板部３８の内周を連結管部１８へ、第２仕切り板部６０の外周をシリンダ筒部４８へそれぞれ摺接させるので、蓋基部１２と可動蓋部４０との間に適度の摩擦力を確保することができる。
【００１６】
第４手段は、第１の手段から第３の手段のいずれかを有し、かつ
上記口頸部４の外面に第１ネジ部Ｎ１を、また装着筒部４４の内面に第２ネジ部Ｎ２をそれぞれ形成し、第２ネジ部Ｎ２の下部及び第１ネジ部Ｎ１の上部のみが相互に係合した状態で、上記蓋底部Ｂの裏面に口頸部４の上面が当接するように構成している。
【００１７】
本手段では、図１又は図６に示すように、第２ネジ部Ｎ２の下部と第１ネジ部Ｎ１の上部とのみが係合した状態（ネジの掛かりが少ない状態）でも蓋底部Ｂが口頸部４を閉塞するように構成している。これにより、ネジの掛かり具合に応じて吐出量を制御できる。
【００１８】
第５手段は、第４の手段を有し、かつ
ポンプ室Ｐが拡張した状態で装着筒部４４内に口頸部４を挿入し、第１ネジ部Ｎ１が第２ネジ部Ｎ２に当たるまで装着筒部４４を回転させずに下降したときに、可動蓋部４０を回転させずに、口頸部４の上端面が蓋底部Ｂを突き上げることができるように、第１ネジ部Ｎ１と掛かり合う第２ネジ部Ｎ２の形成箇所を設定した。
【００１９】
本手段では、図６に示す第１ネジ部Ｎ１と掛かり合う第２ネジ部Ｎ２の形成箇所の好適な構成を提案している。この構成では、図７に示すように可動蓋部４０を回転させずに装着筒部４４内に口頸部４を挿入して、第１ネジ部Ｎ１が第２ネジ部Ｎ２に当たるまで装着筒部４４を回転させずに下降したときに、口頸部４の上端面が蓋底部Ｂを突き上げることが可能である。このため、前述の定量の液体吐出の操作とは別に、ごく少量の液体を吐出させることができる。具体的には、図６〜図７実施形態で述べる。
【発明の効果】
【００２０】
第１の手段に係る発明によれば、口頸部４に対して蓋１０を嵌合する際に、上記蓋底部Ｂに口頸部４の上端部が当接した後に、装着筒部４４を口頸部４に対して下限位置まで下降させることで上記ポンプ室Ｐの内容積が拡張して、スポイト管１４へ容器体２内の液体を吸い込むことが可能に構成したから、口頸部４に蓋１０を装着するときに、容器体２の内部が加圧されて吐出量がばらつくことを防止できる。
第２の手段に係る発明によれば、可動蓋部４０と蓋基部１２との間の摩擦力により可動蓋部４０に対して蓋基部１２が上昇した状態を維持できるようにしたから、可動蓋部４０に対して蓋基部１２を上方付勢させるためのバネ部材を省略することができ、構成を簡易とすることができる。
第３の手段に係る発明によれば、シリンダ筒部４８の内面下部に付設した第１仕切り板部３８と、連結管部１８の外面上部に付設した第２仕切り板部６０との間にポンプ室Ｐを形成したから、さらに構成を簡易とすることができる。
第４の手段に係る発明によれば、上記口頸部４の外面に第１ネジ部Ｎ１を、また装着筒部４４の内面に第２ネジ部Ｎ２をそれぞれ形成し、第２ネジ部Ｎ２の下部及び第１ネジ部Ｎ１の上部のみが相互に係合した状態で、上記蓋底部Ｂの裏面に口頸部４の上面が当接するように構成したから、ネジの掛かり合いに応じて吐出量を的確に制御できる。
第５の手段に係る発明によれば、第１ネジ部Ｎ１と掛かり合う第２ネジ部Ｎ２の形成箇所を、可動蓋部４０を回転させずに装着筒部４４内に口頸部４を挿入して、第１ネジ部Ｎ１が第２ネジ部Ｎ２に当たるまで装着筒部４４を回転させずに下降したときに、口頸部４の上端面が蓋底部Ｂを突き上げることが可能に設定したから、少量の液体吐出も可能となる。
【図面の簡単な説明】
【００２１】
【図１】本発明の第１実施形態に係るスポイト容器の半断面図である。
【図２】図１のスポイト容器から外した蓋の半断面図である。
【図３】図２の蓋の押釦を押し下げた状態を説明するための図である。
【図４】図２の蓋を容器体の口頸部へ装着する作業において、口頸部の上部を蓋内へ挿入した段階を示す説明図である。
【図５】図４の状態から図１の状態まで可動蓋部を下降させる途中の段階を示す説明図である。
【図６】本発明の第２実施形態に係るスポイト容器の半断面図である。
【図７】図６のスポイト容器から蓋を外して、押釦を押し下げた状態を示す説明図である。
【発明を実施するための最良の形態】
【００２２】
図１から図５は、本発明の第１の実施形態に係るスポイト容器を示している。このスポイト容器は、容器体２と蓋１０とで構成されている。これら各部材は、合成樹脂材で形成することができる。
【００２３】
容器体２は、胴部から肩部を介して口頸部４を起立している。口頸部４の外面には第１ネジ部Ｎ１が形成されている。容器体２は、口頸部４に付設したシゴキ部材６を有する。このシゴキ部材６は、口頸部４内面に嵌着した固定筒部７を有し、固定筒部７の上端に付設した鍔部７ａを口頸部４の上端面に係止させている。また固定筒部７の内面からは、シゴキ部８を内方突出している。
【００２４】
蓋１０は、図１に示す如く、蓋基部１２と、可動蓋部４０とで構成されている。
【００２５】
蓋基部１２は、スポイト管１４及び連結管部１８と、押釦２４と、第１仕切り部材３４とで構成している。本実施形態において、スポイト管１４は、その管壁上部から突出する外向きフランジ１６を有する。図示例では、外向きフランジ１６の裏面にパッキン２２を付設し、これら外向きフランジ１６とパッキン２２とで蓋底部Ｂを形成している。蓋底部Ｂは、口頸部４の上面を液密に閉塞する機能を有する。もっとも蓋底部Ｂの構造は適宜変更することができる。上記スポイト管１４は、容器体２の底部付近まで垂下している。スポイト管１４の下端部１４ａは斜めに傾斜している。またスポイト管１４の上端からは、連結管部１８を上方へ延設する。この連結管部１８の上部には切欠き２０を穿設している。
【００２６】
上記押釦２４は、連結管部１８の上端部に付設されている。押釦２４は、頂壁部２６の外周部から周壁部２８を、また頂壁部２６の裏面中央部から嵌合筒部３０をそれぞれ垂下している。嵌合筒部３０は、連結管部１８の上端部外面に嵌合している。また嵌合筒部３０の上部内面には当接リブ３２を縦設して、この当接リブ３２の下面に連結管部１８の上端が突き当たるようにしている。
【００２７】
上記第１仕切り部材３４は、連結管部１８の上部外面に設けられている。図示例において、第１仕切り部材３４は、上記嵌合筒部３０の外面に嵌合した第１取付筒部３６を有し、この第１取付筒部３６の下端に第１仕切り板部３８を付設している。第１仕切り板部３８の内端部は、環状ピストンである第１シール部３８ａに形成している。図示例の第１シール部３８ａは、上下両側へ延びる一対のスカート状部からなるが、その形状は適宜変更することができる。
【００２８】
可動蓋部４０は、図示例において、図１に示す如く、蓋周壁４２と、第２仕切り部材５６と、操作筒６４とで構成している。
【００２９】
上記蓋周壁４２は、口頸部４外面へ嵌合可能な装着筒部４４を有し、この装着筒部４４の上端から内向きフランジ状壁部４６を介してシリンダ筒部４８を起立している。シリンダ筒部４８の内面には、係止突部５０を付設している。係止突部５０は、シリンダ筒部４８の上下方向ほぼ中間に位置している。上記装着筒部４４の下端からは、フランジ板部５２を介して垂下筒部５４を垂下している。また装着筒部４４の下部外面からフランジ板部５２の上面に亘って、第１縦リブ６２を形成している。
【００３０】
好適な図示例では、上記装着筒部４４の内面に、口頸部４の第１ネジ部Ｎ１と係合することが可能な第２ネジ部Ｎ２を形成している。ここで「係合」とは、相互に隣接し、或いはかみ合うことという程度の意味である。これら第１ネジ部Ｎ１及び第２ネジ部Ｎ２は、ネジの掛かり具合が完全でない状態（第１ネジ部Ｎ１の上部と第２ネジ部Ｎ２の下部のみがかみ合っている状態）で上記蓋底部Ｂが口頸部４の上面を液密に閉塞できるように形成するとよい。
【００３１】
上記シリンダ筒部４８の上端部には押釦２４の周壁部２８が嵌合されている。この周壁部２８と上記係止突部５０との間のシリンダ筒部分の内面には、上記第１シール部３８ａを摺接させている。また内向きフランジ状壁部４６の下面には、上記外向きフランジ１６の上面を当接している。
【００３２】
上記第２仕切り部材５６は、第２取付筒部５８の上端より内方へ、環状の第２仕切り板部６０を張設し、この第２仕切り板部６０の内端側に環状ピストンである第２シール部６０ａを形成している。図示例では、第２仕切り板部６０の内端から縦筒部６０ｂを垂下し、この縦筒部６０ｂの下端に第２シール部６０ａを形成している。しかしながら、こうした構成は適宜変更することができる。上記第２取付筒部５８は、係止突部５０下方のシリンダ筒部分に嵌着している。また第２シール部６０ａは、切欠き２０下方の連結管部分の外面に摺接している。
【００３３】
操作筒６４は、上記垂下筒部５４に下端部を嵌合させた筒壁を有し、この筒壁上端から環状の頂壁部６６を内方突出し、環状の頂壁部６６の内周部下面から係止筒部６８を垂下している。また操作筒６４の筒壁内面には第２縦リブ７０が縦設されている。この第２縦リブ７０と上述の第１縦リブ６２とは相互に係合して、回り止め手段Ｓを形成している。なお、操作筒６４は、省略しても構わない。  
【００３４】
可動蓋部４０は、第１仕切り板部３８の下面と、第２仕切り板部６０の上面と、連結管部１８の外面と、シリンダ筒部４８の内面とで囲まれる空間でポンプ室Ｐを形成している。本実施形態では、可動蓋部４０の装着筒部４４を口頸部４へ嵌合させるときの押下げ力を利用して、ポンプ室Ｐが拡張され、また押釦２４の押下げ力でポンプ室Ｐが縮小するように構成している。図２に示すようにポンプ室Ｐが拡張したときに、蓋１０を口頸部４から外しても、上記ポンプ室の状態は、連結管部１８と第１シール部３８ａとの間の摩擦力、及び、シリンダ筒部４８と第２シール部６０ａとの間の摩擦力によって維持される。従って蓋基部１２が重力で降下して液体がスポイト管１４から流れ出すことがない。もっともこれらの構造は適宜変更することができる。
【００３５】
上記構成において、内容物を吐出するときには、図１の状態から、蓋１０の操作筒６４を開方向へ回転させる。そうすると、操作筒６４とともに装着筒部４４が回転して、容器体２の口頸部４より螺脱し、図２のように蓋１０を取り外すことができる。
【００３６】
次に図３のように押釦２４を押し下げると、蓋基部１２が可動蓋部４０に対して下降するので、第１仕切り板部３８が第２仕切り板部６０に接近することでポンプ室Ｐの内部が加圧され、スポイト管１４から内容液が吐出される。
【００３７】
次に口頸部４を装着筒部４４内に入れると、図４に示す如く外向きフランジ１６が鍔部７ａを介して口頸部４の上面に係止されるので、操作筒６４を回転させると、口頸部４に対して装着筒部４４が螺下降し、可動蓋部４０のみが下降する。図５は、可動蓋部４０が下降する途中の段階を示しており、この段階を経て図１の状態に至る。これによりポンプ室Ｐの容積が拡大し、スポイト管１４へ容器体内の液体が吸い込まれる。
【００３８】
以下、本発明の他の実施形態を説明する。この説明において第１実施形態と同じ構成については、解説を省略する。  
【００３９】
図６及び図７は、本発明の第２実施形態を示している。本実施形態は、第１実施形態に比較して、装着筒部４４の第２ネジ部Ｎ２のピッチ数を少なくして、第２ネジ部Ｎ２の下端部が蓋底部Ｂの高さ付近に位置している。ネジ部Ｎ２と第１ネジ部との掛かりも小となっている。
【００４０】
消費者によっては、蓋を外して定量の内容液を吐出した後、あともう少しだけ吐出したいという要望がある。本実施形態では、先の実施形態と同様の手順で液体を吐出した後に、図７に示す蓋１０の装着筒部３０内に口頸部４を挿入し、口頸部４の上端面に蓋底部Ｂを載せる。そして可動蓋部４０を回転させずに、蓋１０全体を下降させると、第１ネジ部Ｎ１の上端に第２ネジ部Ｎ２が当たって蓋１０の下降が停止する。このとき蓋底部Ｂは図７の実線位置から図７の想像線位置（図６に示す位置に対応する位置）までの僅かな距離ｈを突き上げられる。この操作によれば、装着筒部３０を下限位置まで螺下降させる通常の操作と比較して、僅かな量の内容液を吸い上げることができ、その内容液を吐出させることができる。
【符号の説明】
【００４１】
２…容器体  ４…口頸部  ６…シゴキ部材  ７…固定筒部  ７ａ…鍔部
８…シゴキ部
１０…蓋  １２…蓋基部  １４…スポイト管  １４ａ…下端部
１６…外向きフランジ  
１８…連結管部  ２０…切欠き  ２２…パッキン
２４…押釦  ２６…頂壁部  ２８…周壁部  ３０…嵌合筒部  ３２…当接リブ
３４…第１仕切り部材  ３６…第１取付筒部  ３８…第１仕切り板部
３８ａ…第１シール部  
４０…可動蓋部  ４２…蓋周壁  ４４…装着筒部  ４６…内向きフランジ状壁部
４８…シリンダ筒部  ５０…係止突部  ５２…フランジ板部  ５４…垂下筒部
５６…第２仕切り部材  ５８…第２取付筒部  ６０…第２仕切り板部
６０ａ…第２シール部  ６０ｂ…縦筒部  ６２…第１縦リブ
６４…操作筒  ６６…環状の頂壁部  ６８…係止筒部  ７０…第２縦リブ
Ｂ…蓋底部  Ｎ１…第１ネジ部  Ｎ２…第２ネジ部
Ｐ…ポンプ室  Ｓ…回り留め手段
【図１】
0006292620.tif 000002
【図２】
0006292620.tif 000003
【図３】
0006292620.tif 000004
【図４】
0006292620.tif 000005
【図５】
0006292620.tif 000006
【図６】
0006292620.tif 000007
【図７】
0006292620.tif 000008